(57)【要約】【課題】ミラーボックス内に浮遊している異物や、振動により浮き上がった異物が撮像部に付着してしまうことを防止できるカメラを提供する。【解決手段】カメラ１は、請求項６の発明は、ミラーボックス（４）内に設けられ、回転駆動することにより被写体像の撮像光路に対して進退可能な可動ミラー（８）と、前記ミラーボックス（４）の前記可動ミラーの回転軸（８ａ）とは対向する範囲に設けられ、前記可動ミラー（８）の前記撮像光路からの退避動作によって前記ミラーボックス（４）内で発生した空気流の少なくとも一部が流入する整流用開口部（６）と、を備える【選択図】図５
2010072278.tif 000002
【特許請求の範囲】
【請求項１】
ミラーボックス内に設けられ、回転駆動することにより被写体像の撮像光路に対して進退可能な可動ミラーと、
前記ミラーボックスの前記可動ミラーの回転軸とは対向する範囲に設けられ、前記可動ミラーの前記撮像光路からの退避動作によって前記ミラーボックス内で発生した空気流の少なくとも一部が流入する整流用開口部と、
を備えるカメラ。
【請求項２】
請求項１に記載のカメラにおいて、
前記可動ミラーよりも像面側に設けられ、被写体光を透過させる光学部材と、
前記光学部材の表面に付着した異物を除去する除去部と、
前記可動ミラーが前記撮像光路からの退避動作と略同時に前記除去部を駆動し、前記光学部材から被写体側に向けて前記空気流を発生させる制御部とを備えること、
を特徴としたカメラ。
【請求項３】
請求項２に記載のカメラにおいて、
前記可動ミラーと前記光学部材との間に設けられたシャッタ部を備え、
前記制御部は、前記シャッタ部が前記撮像光路から退避した後に、前記可動ミラーを退避動作及び前記除去部の駆動をする異物除去処理をすること、
を特徴としたカメラ。
【請求項４】
請求項３に記載のカメラにおいて、
このカメラは、被写体の光学像を結像する撮影レンズが着脱可能であり、
前記撮影レンズが装着されたことを検出する検出部を備え、
前記制御部は、前記検出部の出力に基づいて前記撮影レンズが装着されたと判定した場合に、前記異物除去処理をすること、
を特徴としたカメラ。
【請求項５】
請求項３又は請求項４に記載のカメラにおいて、
このカメラは、被写体の光学像を結像する撮影レンズを取り外した状態で、前記ミラーボックスの被写体側の開口部を覆うキャップ部材が着脱可能であり、
前記キャップ部材が装着されたことを検出する検出部を備え、
前記制御部は、前記検出部の出力に基づいてキャップ部材が装着されたと判定した場合に、前記異物除去処理をすること、
を特徴としたカメラ。
【発明の詳細な説明】
【技術分野】
【０００１】
本発明は、異物が撮像部に付着した異物を除去することが可能なカメラに関するものである。
【背景技術】
【０００２】
撮像素子を用いたデジタルカメラでは、レンズ交換時に進入する塵埃や、部品の摩耗により発生する塵埃等の異物が、撮像素子の表面や、光学ローパスフィルタ及び赤外カットフィルタ等の光学部材の表面等に付着し、撮影画像中に写り込んでしまうという問題があった。
従来、学部材の表面等に付着した異物を、撮像光学系と光電変換素子との間に配置された光学部材を振動させて除去するカメラがあった（例えば、特許文献１）。
しかし、従来のカメラでは、ミラーボックス内に浮遊している異物や、振動により浮き上がった異物が再び光学部材上に付着してしまう場合があった。
【特許文献１】特開２００５−１５１２３２号公報
【発明の開示】
【発明が解決しようとする課題】
【０００３】
本発明の課題は、ミラーボックス内に浮遊している異物や、振動により浮き上がった異物が撮像部に付着してしまうことを防止できるカメラを提供することである。
【課題を解決するための手段】
【０００４】
本発明は、以下のような解決手段により、課題を解決する。なお、理解を容易にするために、本発明の実施形態に対応する符号を付して説明するが、これに限定されるものではない。但し、符号を付して説明した構成は、適宜改良してもよく、また、少なくとも一部を他の構成物に代替してもよい。
【０００５】
請求項１の発明は、ミラーボックス（４）内に設けられ、回転駆動することにより被写体像の撮像光路に対して進退可能な可動ミラー（８）と、前記ミラーボックスの前記可動ミラーの回転軸（８ａ）とは対向する範囲に設けられ、前記可動ミラーの前記撮像光路からの退避動作によって前記ミラーボックス内で発生した空気流の少なくとも一部が流入する整流用開口部（６）と、を備えるカメラである。
請求項２の発明は、請求項１に記載のカメラにおいて、前記可動ミラー（８）よりも像面側に設けられ、被写体光を透過させる光学部材（２２）と、前記光学部材の表面に付着した異物を除去する除去部（２３）と、前記可動ミラーが前記撮像光路からの退避動作と略同時に前記除去部を駆動し、前記光学部材から被写体側に向けて前記空気流を発生させる制御部（３８）とを備えること、を特徴としたカメラである。
請求項３の発明は、請求項２に記載のカメラにおいて、前記可動ミラー（８）と前記光学部材（２２）との間に設けられたシャッタ部（１３）を備え、前記制御部（３８）は、前記シャッタ部が前記撮像光路から退避した後に、前記可動ミラーを退避動作及び前記除去部（２３）の駆動をする異物除去処理をすること、を特徴としたカメラである。
請求項４の発明は、請求項３に記載のカメラにおいて、このカメラは、被写体の光学像を結像する撮影レンズ（２）が着脱可能であり、前記撮影レンズが装着されたことを検出する検出部（３１）を備え、前記制御部（３８）は、前記検出部の出力に基づいて前記撮影レンズ（２）が装着されたと判定した場合に、前記異物除去処理をすること、を特徴としたカメラである。
請求項５の発明は、請求項３又は請求項４に記載のカメラにおいて、このカメラは、被写体の光学像を結像する撮影レンズ（２）を取り外した状態で、前記ミラーボックス（４）の被写体側の開口部を覆うキャップ部材が着脱可能であり、前記キャップ部材が装着されたことを検出する検出部（３２）を備え、前記制御部（３８）は、前記検出部の出力に基づいてキャップ部材が装着されたと判定した場合に、前記異物除去処理をすること、を特徴としたカメラである。
【発明の効果】
【０００６】
本発明によれば、ミラーボックス内に浮遊している異物や、振動により浮き上がった異物が撮像部に付着してしまうことを防止できるカメラを提供することができる。
【発明を実施するための最良の形態】
【０００７】
（実施形態）
以下、図面等を参照して、本発明の実施形態について説明する。
図１は、本実施形態のカメラ１を模式的に示した縦断面図（光軸を通る縦断面図）である。
図２は、本実施形態のミラーアップ状態のカメラ１を模式的に示した縦断面図である。
図１に示すように、本実施形態のカメラ１は、カメラ本体３と、このカメラ本体３に設けられたマウント部７に対して着脱可能な形態で取り付けられた交換レンズ２とを有する一眼レフカメラである。
交換レンズ２は、撮影光学系Ｌと、カメラ本体３のマウント部７に係合するレンズ側マウント部２ａとを有し、カメラ本体３に対して着脱可能である。
【０００８】
カメラ本体３は、ミラーボックス４と、マウント部７と、ミラー部８と、ファインダ部１０と、シャッタ部１３と、撮像部２０とを備えた一眼レフカメラである。
ミラーボックス４は、マウント部７から像面側に向けて設けられている。このミラーボックス４の底部には、ミラー部８の回転軸８ａとは対向する範囲、すなわち、ミラー部８がミラーダウン状態の場合にミラー部８の表面の方向Ａとミラーボックス４の底部とが交わる範囲に溝部５が設けられている。そして、この溝部５の底部には、開口部である整流用開口部６が設けられている。交換レンズ２やボディキャップ（図示せず）が装着された場合には、ミラーボックス４は、整流用開口部６を除いて、ほぼ閉じた空間になる。なお、ボディキャップは、カメラ本体３に交換レンズ２が装着されていない場合に、ミラーボックス４の被写体側の開口部を覆うキャップである。
マウント部７は、交換レンズ２を着脱可能に装着するためのバヨネット方式等のレンズマウントである。
【０００９】
ミラー部８は、ミラーボックス４内に配置され、撮影光学系Ｌを通過した撮影光束を反射してファインダ部１０の方向へ光路を曲げる部材である。ミラー部８は、被写体観察中には、図１に示すように撮影用の光路中に配置された状態（ミラーダウン状態）になり、撮影光束をファインダ部１０へ導く。一方、ミラー部８は、撮影時には、図１中に一点鎖線で示すカメラ上方（図１中の上方）に回転駆動して、撮影光路から退避した位置に配置された状態（ミラーアップ状態）になり、撮影光束が撮像部２０の方向へ進むようにする。
【００１０】
図２に示すように、ミラー部８がミラーダウン状態からミラーアップ状態に駆動されると、ミラーボックス４の被写体側の空気は、上側から下側に向けて流れ（矢印Ｂ参照）、また、ミラーボックス４の像面側の空気は、像面側から被写体側に向けて流れる（矢印Ｃ参照）。これは、ミラー部８がミラーダウン状態からミラーアップ状態に駆動されることにより、ミラー部８の駆動領域８ｂの圧力が周囲よりも低くなるためであると考えられる。これらの空気の流れにより、ミラーボックス４内には、半時計回りの空気の流れが発生し、溝部５に空気が流入する。この溝部５の底には、整流用開口部６が設けられているので、こられの空気は、整流用開口部６からミラーボックス４の外部へと流出する。この空気の流出によって、カメラ１は、クリーニング時の効果を高めることができる。クリーニング動作については、後述する。
【００１１】
図１に示すように、ファインダ部１０は、スクリーン１１と、ペンタプリズム１２と、接眼光学系等とを備え、被写体像を観察可能とするファインダを形成する光学系である。
シャッタ部１３は、４枚構成のフォーカルプレーンシャッタであり、ミラー部８と撮像部２０との間に配置されている。シャッタ部１３は、被写体観察中には、閉状態にされることによって、撮影光学系Ｌを通過した撮影光束が撮像部２０に到達するのを遮る。一方、シャッタ部１３は、撮影時には、閉状態から開状態に駆動され、撮影光学系Ｌを通過した撮影光束が撮像部２０に到達な状態にして、その後露光時間に応じて再び閉状態に駆動される。
【００１２】
撮像部２０は、ミラー部８が光路から退避し、かつ、シャッタ部１３が開状態にされたときに撮影光束が到達する位置に配置されている。撮像部２０は、撮像素子２１と、透光板２２と、加振部２３とを備えている。
撮像素子２１は、透光板２２を通過した撮影光束が撮像面に結像され、その像の情報を電気信号に置き換える光電変換素子であり、例えば、ＣＣＤ（Charge Coupled Device）やＣＭＯＳ（Complementary
Metal Oxide Semiconductor）等が用いられる。撮像素子２１は、その撮像面２１ａが撮影光学系Ｌの光軸Ｏと直交するように保持されている。撮像素子２１により得られた画像データには、制御部３８（図３参照）によりデジタルデータ化や、必要な画像処理等が行なわれ、記憶部３７（図３参照）に記憶される。
【００１３】
透光板２２は、撮影光束が通過する光路中にあって、撮影光束が通過する光学部材であり、光学ローパスフィルタ、赤外カットフィルタ等のフィルタを４枚積層して形成されている。透光板２２は、ミラー部８よりも像面側かつ撮像素子２１よりも被写体側に配置されている。透光板２２は、透光板２２の光学ローパスフィルタを撮影光束が通過することにより、撮像素子２１に設けられたカラーフィルタに起因する色モアレを防止している。また、透光板２２の赤外カットフィルタを撮影光束が通過することにより、不要な赤外領域の光を低減する。透光板２２の表面には、異物が付着しにくいように帯電防止処理が施されている。
透光板２２は、撮像素子２１の撮像面と略平行となるように配置され、また撮像素子２１のシャッタ側の面全てを覆うように配置されている。これにより、透光板２２は、撮像素子２１に異物が付着することを防止することができる。
【００１４】
加振部２３は、圧電素子等により形成されている。加振部２３は、透光板２２の被写体側の面に貼付されている。加振部２３は、制御部３８（図３参照）からの指示により電圧が印加されることにより振動し、その振動により透光板２２を振動させる。この透光板２２の振動によって、透光板２２の表面に付着した異物が、透光板２２から除去、遊離される。
【００１５】
図３は、本実施形態のカメラ１のブロック図である。
カメラ１は、上記ハードウェアの他に、レンズ装着検出部３１と、キャップ装着検出部３２と、電源操作部３３と、クリーニング操作部３４と、ミラー駆動部３５と、シャッタ駆動部３６と、記憶部３７と、制御部３８とを備えている。
レンズ装着検出部３１、キャップ装着検出部３２は、それぞれ、交換レンズ２、ボディキャップが装着されたことを検出する検出部である。レンズ装着検出部３１、キャップ装着検出部３２は、マウント部７に設けられている。レンズ装着検出部３１、キャップ装着検出部３２は、交換レンズ２、ボディキャップが装着された場合には、オンになる電気接点を備えたスイッチ等が用いられる。なお、レンズ装着検出部３１、キャップ装着検出部３２は、兼用してもよい。
【００１６】
電源操作部３３は、撮影者の操作に応じて、カメラ１の電源をオン、オフするレバー等である。
クリーニング操作部３４は、撮影者の操作に応じてオンとされることにより、後述するクリーニング動作を開始するための操作部である。クリーニング操作部３４は、液晶表示装置（図示せず）に表示された操作画面と、操作画面のメニューを選択する選択ボタン等から構成される。
ミラー駆動部３５は、ミラー部８をアップ、ダウン駆動する駆動部である。
シャッタ駆動部３６は、シャッタ部１３を開閉駆動する駆動部である。
【００１７】
記憶部３７は、カメラ１の動作に必要なプログラム、情報等を記憶するための半導体メモリ素子等の記憶装置である。また、記憶部３７は、クリーニング動作するためのプログラムを記憶している。
制御部３８は、カメラ１を統括的に制御するための制御部であり、例えば、ＣＰＵ（中央処理装置）等から構成される。制御部３８は、記憶部３７に記憶された各種プログラムを適宜読み出して実行することにより、前述したハードウェアと協働し、本発明に係る各種機能を実現している。
制御部３８は、加振部２３、ミラー駆動部３５、シャッタ駆動部３６、撮像素子２１等に電気的に接続されており、クリーンニング動作の制御を行なうことができる。
【００１８】
次に、本実施形態のカメラ１のクリーニング動作について説明する。
図４は、本実施形態のカメラ１のクリーニング動作を示すフローチャートである。
図５は、本実施形態のクリーニング動作時のカメラ１を模式的に示した縦断面図である。
なお、クリーニング動作を開始する前のカメラ１は、電源ＯＦＦの状態か、電源ＯＮであり撮影動作をしていない状態であり、ミラー部８がミラーダウン状態かつシャッタ部１３が閉状態となっている（図１参照）。
最初にステップＳ（以下、単に「Ｓ」という）１０において、電源操作部３３が操作されるか、クリーニング操作部３４が操作されることにより（図３参照）、信号が制御部３８に入力され、制御部３８がクリーニング処理を開始する。
Ｓ２０において、制御部３８は、レンズ装着検出部３１の出力に基づいて、交換レンズ２がマウント部７に装着されているか否かを判定する。制御部３８は、交換レンズが装着されていると判定した場合には（Ｓ２０：ＹＥＳ）、Ｓ３０に進み、一方、交換レンズが装着されていないと判定した場合には（Ｓ２０：ＮＯ）、Ｓ２１に進む。
【００１９】
Ｓ２１において、制御部３８は、キャップ装着検出部３２の出力に基づいて、ボディキャップが装着されているか否かを判定する。制御部３８は、ボディキャップが装着されていると判定した場合には（Ｓ２１：ＹＥＳ）、Ｓ３０に進み、一方、ボディキャップが装着されていないと判定した場合には（Ｓ２１：ＮＯ）、Ｓ２２に進む。
【００２０】
Ｓ２２において、制御部３８は、加振部２３を駆動して、透光板２２の表面に付着した異物を除去する。Ｓ２２に進んだ場合には、カメラ本体３は、交換レンズ２又はボディキャップが装着されていないために、ミラーボックス４の被写体側が開口した状態であり、また、シャッタ部１３が閉状態、ミラー部８がダウン状態となっている。このため、透光板２２から除去され遊離した異物Ｐは、自重によって、透光板２２とシャッタ部１３との間の領域で落下したりする。また、シャッタ部１３が閉状態であるので、ミラーボックス４内で異物が浮遊していても、透光板２２に付着することはない。
【００２１】
なお、ミラーボックス４の被写体側が開口した状態で、ミラー部８を駆動すると、ミラー部８の駆動にともなう空気流によって、カメラ本体３外で浮遊している異物を、ミラーボックス４の被写体側が開口から呼び込む可能性があり（図８参照）、クリーニング効果が著しく低下する。これに対して、カメラ本体３は、ミラー部８を駆動せずに、加振部２３を駆動するので、このような外部からの異物の呼び込みを防止することができる。また、カメラ本体３は、シャッタ部１３を閉状態にしているので、ミラーボックス４内に異物が浮遊していたとしても、この異物が透光板２２に付着することを防止することができる。
制御部３８は、Ｓ２２の処理が終了すると、Ｓ８０に進む。
【００２２】
Ｓ３０において、制御部３８は、シャッタ駆動部３６を制御して、シャッタ部１３を閉状態から開状態に駆動する。
Ｓ４０において、ミラー駆動部３５を制御して、ミラー部８をミラーダウン状態からミラーアップ状態に駆動する
Ｓ４０の処理が終了した時点では、図５に示すように、カメラ１は、交換レンズ２又はボディキャップが装着され、シャッタ部１３が開状態、ミラー部８がミラーアップ状態となる。ミラー部８がミラーダウン状態からミラーアップ状態に駆動されると、ミラーボックス４の被写体側の空気は、上側から下側に向けて流れ（矢印Ｂ参照）、また、ミラーボックス４の像面側の空気は、像面側から被写体側に向けて流れる（矢印Ｃ参照）。これらの空気は、一部が溝部５に流入して、整流用開口部６からミラーボックス４の外部へと流出する。
【００２３】
図４に戻り、Ｓ５０において、制御部３８は、加振部２３を駆動して、透光板２２の表面に付着した異物を除去する。なお、制御部３８は、Ｓ４０のミラーの退避動作とほぼ同時に加振部２３を駆動する。このためＳ５０での加振部２３の駆動は、図５に示すように、ミラーボックス４内で、ミラー部８の駆動にともなう空気流が発生した状態で行われる。
これにより、透光板２２から除去され遊離した異物Ｐは、像面側から被写体側に向けた空気流に乗って、被写体側に移動する（矢印Ｂ参照）。一方、ミラーボックス４の被写体側の浮遊している異物Ｐは、上側から下側に向けた空気流に乗って下側に移動する（矢印Ｃ参照）。そして、こられの異物Ｐは、空気流に乗って整流用開口部６からミラーボックス４の外部へと流出する。
このため、カメラ１は、これらの異物Ｐがミラーボックス４内で浮遊することが防止でき、透光板２２に再付着することを防止することができ、また加振部２３による異物除去効果を高めることができる。
【００２４】
このように、カメラ１は、ミラー部８の撮像光路からの退避動作による空気流が流入する整流用開口部６を備えるので、透光板２２に異物Ｐが付着することを防止できる。
また、カメラ１は、交換レンズ２又はボディキャップが装着されたと判定した場合にのみ、ミラー部８の駆動、シャッタ部１３の駆動をするので、被写体側の開口部からミラーボックス内に異物が流入することを防止し、さらに透光板２２に付着することを防止することができる。
【００２５】
制御部３８は、Ｓ５０での加振部２３の駆動を終了させると、Ｓ６０に進む。
Ｓ６０において、制御部３８は、シャッタ駆動部３６を制御して、シャッタ部１３を閉状態に駆動して、Ｓ７０において、ミラー駆動部３５を駆動して、ミラー部８をミラーダウン状態に駆動して、Ｓ８０に進む。
Ｓ８０において、制御部３８は、一連の処理を終了する。
【００２６】
次に、本実施形態のカメラ１と比較するために、整流用開口部６が設けられていない従来カメラ１０１について説明する。なお、以下の説明及び図面において、本実施形態のカメラ１と同様の機能を果たす部分には、末尾に同一の符号を付して、重複する説明を適宜省略する。
図６〜図８は、従来カメラ１０１を模式的に示した縦断面図である。
図６に示すように、従来カメラ１０１は、整流用開口部６が設けられていない点が、本実施形態のカメラ１とは異なる。
従来カメラ１０１は、ミラーアップすると、ミラーボックス１０４内に、カメラ１と同様な半時回りの対流が発生し（矢印１００Ｂ，１００Ｃ参照）、溝部１０５に空気が流入する。溝部１０５には整流用開口部６が設けられていないので、図７に示すように、溝部１０５に流入した空気は、溝部１０５から再びミラーボックス１０４内に流入し、ミラーボックス１０４の底部を沿うように、像面側へと移動する（矢印１００Ｄ参照）。
このため、ミラーボックス１０４内に浮遊する異物Ｐや、透光板１２２から遊離した異物Ｐ等は、この空気の流れに乗って、ミラーボックス１０４内の底部を沿うように移動して、透光板２２等に付着してしまう懸念があった。
【００２７】
また、図８に示すように、従来カメラ１０１は、交換レンズ又はボディキャップを装着しない状態でクリーニング動作をした場合にも、ミラーアップをしてしまう。このため、特にミラーアップ作動時に発生する空気流により、浮遊している異物Ｐがミラーボックス１０４内に侵入する懸念があった。
これに対して、本実施形態のカメラ本体３は、前述したように、交換レンズ２又はボディキャップ装着しない状態でクリーニング動作をした場合、ミラーアップをしないので、浮遊している異物Ｐがミラーボックス４内に侵入することを防止できる。
【００２８】
（有限要素法を利用したシミュレーション）
次に、本実施形態のカメラ１のミラーボックス４内の空気流と、従来カメラ１０１のミラーボックス１０４内の空気流との有限要素法を利用したシミュレーションについて説明する。
図９は、本実施形態のミラーボックス４内の空気流のシミュレーション結果を示す図である。
図１０は、従来カメラ１０１のミラーボックス１０４内の空気流のシミュレーション結果を示す図である。
【００２９】
図９（ａ）〜図９（ｃ）に示すように、ミラーダウン状態からミラーアップ状態へと駆動することによって、ミラーボックス４内の被写体側の空気は、下側に移動を開始し、像面側の空気は、被写体側に向けて移動を開始する。
図９（ｄ）に示すように、被写体側の空気は、溝部５内に流入し、整流用開口部６からミラーボックス４外部へと流出する。また、像面側の空気は、被写体側の空気の流れに乗って下側つまり溝部５の方向に移動する。
【００３０】
図９（ｅ）に示すように、ミラー部８がミラーアップ状態からミラーダウン状態に駆動を開始するタイミングでは、被写体側の空気は、ほとんどが整流用開口部６からミラーボックス４外部へと流出する。また、像面側の空気は、被写体側の空気の流れに乗って、一部が整流用開口部６からミラーボックス４外部へと流出し、一部がミラーボックス４で半時計回りに対流を開始する。
【００３１】
そして、図９（ｆ）に示すように、ミラー部８がミラーダウン状態に配置された状態では、像面側の空気のうち半時計回りに対流をしたものであっても、ミラー部８よりも像面側で対流するものは、ほとんどない。このため、従来カメラ１０１は、透光板２２に異物が付着することを防止することができる。
【００３２】
一方、従来カメラ１０１は、図１０（ａ）、図１０（ｂ）に示すように、ミラーアップ開始時のミラーボックス４内の空気の流れは、カメラ１とほぼ同様である。しかし、図１０（ｃ）に示すように、ミラー部８がミラーアップ状態に配置された状態では、被写体側の空気は、溝部１０５に流入しても、再びミラーボックス１０４内に流入して像面側へと移動する。
そして、図１０（ｄ）に示すように、被写体側の空気は、再びミラーボックス１０４内に流入した後、像面側の壁部つまり透光板２２へと達している。また、像面側の空気は、被写体側に移動しても、被写体側の空気に乗って溝部１０５に流入し、再びミラーボックス１０４内に流入して像面側へと移動する。
【００３３】
図１０（ｅ）に示すように、被写体側の空気は、ミラーボックス１０４内の像面側の領域で対流を開始し、像面側の空気は、ミラーボックス１０４内の被写体側の対流を開始する。
そして、図１０（ｆ）に示すように、ミラー部１０８が再びミラーダウン状態に配置されたときには、ミラーボックス１０４内では、像面側の領域及び被写体側の領域で、空気の対流が発生しており、異物Ｐがミラーボックス１０４内に存在した場合には、透光板１２２等に付着する可能性が高くなる。
【００３４】
以上のシミュレーションによって、本実施形態のカメラ１は、ミラーボックス４内に整流用開口部６を設けることにより、異物Ｐがミラーボックス４に有ったとしても、透光板２２等に付着することを防止できることが確認できた。
【００３５】
以上説明したように、本実施気形態のカメラ１は、ミラーボックス４内に整流用開口部６を設けることにより、異物が透光板２２等に付着することを防止することができ、また加振部２３による異物除去効果を高めることができる。
【００３６】
以上、本発明の実施形態について説明したが、本発明は前述した実施形態に限定されるものではなく、後述する変形形態のように種々の変形や変更が可能であって、それらも本発明の技術的範囲内である。また、本発明による効果は、実施形態に記載したものに限定されない。なお、前述した実施形態及び後述する変形形態は、適宜組み合わせて用いることもできるが、詳細な説明は省略する。
【００３７】
（変形形態）
（１）本実施形態において、光学ローパスフィルタと赤外カットフィルタとの機能を有する透光板２２を振動させる例を示したが、これに限らず、例えば、異物混入を防止するために専用の透光部材を設け、これを振動させたり移動させたりしてもよいし、撮像素子も含めた撮像部全体を振動させたり移動させたりしてもよい。
【００３８】
（２）本実施形態において、透光板２２を振動させて異物を除去する動作に連動させてシャッタ部１３を動作させる例を示したが、これに限らず、例えば、透光板の表面にイオン照射や放電等を行ない、異物を除去する動作に連動させてシャッタ部を動作させる等、他の種類の異物除去機構に連動させてシャッタ部を動作させてもよい。
【図面の簡単な説明】
【００３９】
【図１】本実施形態のカメラを模式的に示した縦断面図である。
【図２】本実施形態のミラーアップ状態のカメラを模式的に示した縦断面図である。
【図３】本実施形態のカメラのブロック図である。
【図４】本実施形態のカメラのクリーニング動作を示すフローチャートである。
【図５】本実施形態のクリーニング動作時のカメラを模式的に示した縦断面図である。
【図６】従来カメラを模式的に示した縦断面図である。
【図７】従来カメラを模式的に示した縦断面図である。
【図８】従来カメラを模式的に示した縦断面図である。
【図９】本実施形態のミラーボックス内の空気流のシミュレーション結果を示す図である。
【図１０】従来カメラのミラーボックス内の空気流のシミュレーション結果を示す図である。
【符号の説明】
【００４０】
１…カメラ    ２…交換レンズ    ３…カメラ本体    ４…ミラーボックス    ５…溝部    ６…整流用開口部    ８…ミラー部    １３…シャッタ部    ２０…撮像部    ２１…撮像素子    ２２…透光板    ２３…加振部    ３１…レンズ装着検出部    ３２…キャップ装着検出部    ３３…電源操作部    ３４…クリーニング操作部    ３５…ミラー駆動部    ３６…シャッタ駆動部    ３８…制御部
【図１】
2010072278.tif 000003
【図２】
2010072278.tif 000004
【図３】
2010072278.tif 000005
【図４】
2010072278.tif 000006
【図５】
2010072278.tif 000007
【図６】
2010072278.tif 000008
【図７】
2010072278.tif 000009
【図８】
2010072278.tif 000010
【図９】
2010072278.tif 000011
【図１０】
2010072278.tif 000012